(57)【要約】【課題】  機器の開口部への虫や砂礫等の進入を防止し、加工費が安く、着脱が容易な異物進入防止装置を実現する。【解決手段】  機器の開口部への異物の進入を防止する異物進入防止装置に関するものである。  異物の進入を防ぐフィルタと、フィルタを異物の進入を防止する穴の開口部近傍に取り付ける筒状部材とを設けた。【選択図】                    図１
2005331252.tif 000002
【特許請求の範囲】
【請求項１】
異物の進入を防ぐフィルタと、
該フィルタを異物の進入を防止する穴の開口部近傍に取り付ける筒状部材と、
を備えたことを特徴とする異物進入防止装置。
【請求項２】
前記筒状部材と前記穴との隙間にＯリングを介在させたことを特徴とする請求項１記載の異物進入防止装置。
【請求項３】
前記筒状部材は、径の異なる穴を組み合わせた導通穴が形成されていることを特徴とする請求項１又は２記載の異物進入防止装置。
【請求項４】
前記フィルタと、前記筒状部材とを一体成形としたことを特徴とする請求項１記載の異物進入防止装置。
【請求項５】
前記筒状部材は、一端の径が他の部分の径よりも大きく成形されていることを特徴とする請求項４記載の異物進入防止装置。
【請求項６】
前記フィルタと、前記筒状部材は、板をプレス加工することにより成形したことを特徴とする請求項４又は５記載の異物進入防止装置。
【請求項７】
前記フィルタと、前記筒状部材は、板を曲げ加工することにより成形したことを特徴とする請求項４記載の異物進入防止装置。
【請求項８】
圧力伝送器の基準圧力導入口に取り付けられたことを特徴とする請求項１乃至７のいずれかに記載の異物進入防止装置。
【発明の詳細な説明】
【技術分野】
【０００１】
本発明は、例えば、圧力伝送器等のような機器の開口部への異物の進入を防止する異物進入防止装置に関するものである。
【背景技術】
【０００２】
圧力伝送器では、圧力計の基準圧力である大気圧を取り込む導入口に虫や砂礫等の侵入を防止するフィルタを取り付ける場合がある。
【０００３】
図７は、従来における異物進入防止装置の構成例を示した図である。
この図では、圧力伝送器に適用した例を示している。従来例の構成を分かり易くするために圧力導入口と基準圧力導入口の部分は断面図で示している。
図７で、測定圧力は圧力導入口１を経て圧力室２に入り、センサ３の受圧部４により感圧する。
一方、基準圧力は基準圧力導入口５より外気（大気圧）を導入し、大気基準室６を経てセンサ３の基準圧測定部７により感圧する。
【０００４】
センサ３の検出方式としては例えば、差動容量式、半導体ストレージ式、振動式等がある。
センサ３の受圧部４及び基準圧測定部７は例えば、金属製のダイアフラム等で構成されている。
【０００５】
受圧部４の圧力と基準圧測定部７の圧力との差を測定圧としたセンサ３の信号をアンプ・ケース８部にて電気信号に変換する。
【０００６】
基準圧力導入口５には、大気基準室６内へ小虫や砂礫等の異物が入り込まないようにフィルタ９が設置されている。カバーフランジ１０に雌ネジを切り、押さえネジ１１によりフィルタ９は固定される。
【０００７】
図８は、図７のフィルタ固定用の押さえネジを示した図である。図８（ａ）は、軸方向の断面図であり、図８（ｂ）は、図８（ａ）のＡ方向から見た図である。
図８で、押さえネジ１１の外側は雄ネジ加工され、内側は貫通した六角穴が加工されている。六角レンチ等の工具を使用して図７のカバーフランジ１０の基準圧力導入口２０に組み込み、フィルタ９を固定する。大気圧はこのフィルタ９を通して大気基準室６に導入される。
【０００８】
圧力伝送器（差圧測定装置）の構成を示したものとして、例えば特許文献１に記載されたものがあった。
【特許文献１】特開２００４−１０９０３１号公報
【発明の開示】
【発明が解決しようとする課題】
【０００９】
しかし、図７及び８の従来例では次の問題点があった。
基準圧力導入口のフィルタはカバーフランジ内に収められネジにより固定されるため、ネジ部分は小穴ができ、この部分に小虫が入り込んだり砂礫が詰まったりして、大気と導通しなくなる場合が生じるという問題点があった。
【００１０】
このフィルタを取り付けるためには、カーバーフランジに雌ネジ加工、押さえネジに雄ネジ加工と六角穴加工が必要となり加工費が高くなる。
また、フィルタを取り付けるためには六角レンチ等の特殊な工具が必要となり、着脱が容易でないという問題点があった。
【００１１】
本発明は上述した問題点を解決するためになされたものであり、機器の開口部への虫や砂礫等の進入を防止し、加工費が安く、着脱が容易な異物進入防止装置を実現することを目的とする。
【課題を解決するための手段】
【００１２】
このような課題を達成するために、本発明は次のとおりの構成になっている。
（１）異物の進入を防ぐフィルタと、
該フィルタを異物の進入を防止する穴の開口部近傍に取り付ける筒状部材と、
を備えたことを特徴とする異物進入防止装置。
【００１３】
（２）前記筒状部材と前記穴との隙間にＯリングを介在させたことを特徴とする（１）記載の異物進入防止装置。
【００１４】
（３）前記筒状部材は、径の異なる穴を組み合わせた導通穴が形成されていることを特徴とする（１）又は（２）記載の異物進入防止装置。
【００１５】
（４）前記フィルタと、前記筒状部材とを一体成形としたことを特徴とする（１）記載の異物進入防止装置。
【００１６】
（５）前記筒状部材は、一端の径が他の部分の径よりも大きく成形されていることを特徴とする（４）記載の異物進入防止装置。
【００１７】
（６）前記フィルタと、前記筒状部材は、板をプレス加工することにより成形したことを特徴とする（４）又は（５）記載の異物進入防止装置。
【００１８】
（７）前記フィルタと、前記筒状部材は、板を曲げ加工することにより成形したことを特徴とする（４）記載の異物進入防止装置。
【００１９】
（８）圧力伝送器の基準圧力導入口に取り付けられたことを特徴とする（１）乃至（７）のいずれかに記載の異物進入防止装置。
【発明の効果】
【００２０】
本発明によれば次のような効果がある。
フィルタが機器の開口部の表面に設置されるようになるため、機器の表面部分で虫や砂礫等の進入を防止することができ、機器の内部への虫の入り込みや砂礫の堆積等を防ぐことができる。
【００２１】
フィルタの取り付けの際、ネジを使用しないので機器へのネジ加工や押さえネジの加工が不要となり、異物進入防止装置のコスト削減及び異物進入防止装置を取り付ける機器のコスト削減も図ることができる。
また、フィルタの取り付けは、外部より押し込むだけであるので特殊な工具を必要とせず、フィルタの着脱が容易にでき、メンテナンス性を向上させることができる。
【発明を実施するための最良の形態】
【００２２】
以下、図面を用いて本発明を詳細に説明する。
図１は本発明の一実施例を示す構成図である。前出の図と同一のものは同一符号を付ける。
この図では、圧力伝送器に適用した例を示している。本発明の構成を分かり易くするために圧力導入口と基準圧力導入口の部分は断面図で示している。
図１で、カバーフランジ１０の基準圧力導入口２０にはネジの加工はなく、小穴が加工されている。基準圧力導入口２０には異物進入防止装置２１が差し込まれている。
【００２３】
図２は、図１の異物進入防止装置の構成図である。図２（ａ）は、軸方向の断面図であり、図２（ｂ）は、図２（ａ）のＢ方向から見た図である。
図２で、フィルタ３０は筒状部材３１の端面にかしめ、溶接等の方法で固定されている。
筒状部材３１の外側にはＯリング３２が嵌め込まれており、図１の基準圧力導入口２０に差し込まれた際に振動や衝撃等により抜け落ちることを防止すると同時に、Ｏリング３２のシール効果により筒状部材３１の外周部より雨水が図１のカバーフランジ１０内に浸入することを防ぐことができる。
【００２４】
また図２では、筒状部材３１の導通穴３３ａ、３３ｂ、３３ｃの穴径を段階的に小さくすることにより、フィルタ３０を通して雨水が浸入した場合でも、導通穴３３ａ、３３ｂ、３３ｃの段差により、浸入した雨水はフィルタ３０の外側へ流れ落ちて行き、大気基準室６に入り込むことを防ぐことができる。
フィルタ３０は、例えば金属製やプラスチック製のスクリーンや小穴が多数開いたもの等、通気性のある化繊布等が用いられる。
【００２５】
図３は、異物進入防止装置の他の構成例を示した図である。
図３で、板をプレス加工することによりフィルタ４０と筒状部材４１とを一体成形している。
筒状部材４１の一端４２の径を他の部分の径よりも大きく形成し、図１の基準圧力導入口２０に圧入することにより振動や衝撃等により抜け落ちることを防止することができる。
フィルタ４０と筒状部材４１は、例えば金属で小穴が多数開いたもの等が用いられる。
また、フィルタ４０と筒状部材４１は、プラスチックでも良いが、この場合は型により一体成形する。
【００２６】
図４〜図６は、異物進入防止装置の他の構成例を示した図である。図４は、曲げ加工前、図５及び図６は、曲げ加工後の図である。図５（ａ）は、軸方向の断面図であり、図５（ｂ）は、図５（ａ）のＣ方向から見た図である。図６は、曲げ加工後の構成斜視図である。
図４〜図６で、板を曲げ加工することによりフィルタ５０と筒状部材５１とを一体成形している。
筒状部材５１のバネ弾性力により筒状部材５１と図１の基準圧力導入口２０との間に摩擦を持たせているので、図１の基準圧力導入口２０に差し込まれた際に振動や衝撃等により抜け落ちることを防止することができる。
【図面の簡単な説明】
【００２７】
【図１】本発明の一実施例を示す構成図である。
【図２】図１の異物進入防止装置の構成図である。
【図３】異物進入防止装置の他の構成例を示した図である。
【図４】異物進入防止装置の他の構成例を示した図である。
【図５】異物進入防止装置の他の構成例を示した図である。
【図６】異物進入防止装置の他の構成例を示した図である。
【図７】従来の実施例を示す構成図である。
【図８】図７のフィルタ固定用の押さえネジを示した図である。
【符号の説明】
【００２８】
１  圧力導入口
２  圧力室
３  センサ
４  受圧部
６  大気基準室
７  基準圧測定部
８  アンプ・ケース
１０  カバーフランジ
２０  基準圧力導入口
２１  異物進入防止装置
３０、４０、５０  フィルタ
３１、４１、５１  筒状部材
３２  Ｏリング
４２  一端
【図１】
2005331252.tif 000003
【図２】
2005331252.tif 000004
【図３】
2005331252.tif 000005
【図４】
2005331252.tif 000006
【図５】
2005331252.tif 000007
【図６】
2005331252.tif 000008
【図７】
2005331252.tif 000009
【図８】
2005331252.tif 000010